(57)【要約】【課題】コモンモードに起因した近端クロストークを低減可能なコネクタ付きケーブルを提供する。【解決手段】差動信号の送受信用に少なくとも２本以上の差動信号伝送用ケーブル３を備えたケーブル２と、ケーブル２の両端に設けられ、接続対象の機器と差動信号伝送用ケーブル３とを電気的に接続するパドルカード基板５が内蔵されたコネクタ４と、を備え、パドルカード基板５に形成され機器から入力された電気信号を差動信号伝送用ケーブル３に伝送する送信側伝送路２０に、機器側の伝送路に対してコモンモードインピーダンスが不整合となり、機器側の伝送路から入力されたコモンモードの電気信号を反射するコモンモード反射用伝送路２２を備えたものである。【選択図】図１
2015130247.tif 000002
【特許請求の範囲】
【請求項１】
差動信号の送受信用に少なくとも２本以上の差動信号伝送用ケーブルを備えたケーブルと、
該ケーブルの両端に設けられ、接続対象の機器と前記差動信号伝送用ケーブルとを電気的に接続するパドルカード基板が内蔵されたコネクタと、を備え、
前記パドルカード基板に形成され前記機器から入力された電気信号を前記差動信号伝送用ケーブルに伝送する送信側伝送路に、前記機器側の伝送路に対してコモンモードインピーダンスが不整合となり、前記機器側の伝送路から入力されたコモンモードの電気信号を反射するコモンモード反射用伝送路を備えた
ことを特徴とするコネクタ付きケーブル。
【請求項２】
前記コモンモード反射用伝送路は、前記機器側の伝送路に対してコモンモードインピーダンスが不整合となり、かつ、差動モードインピーダンスが整合するように構成される
請求項１記載のコネクタ付きケーブル。
【請求項３】
前記コモンモード反射用伝送路は、前記送信側伝送路を構成する配線パターンの一部の間隔を変更することで形成されている
請求項１または２記載のコネクタ付きケーブル。
【請求項４】
前記パドルカード基板に形成され前記差動信号伝送用ケーブルから入力された電気信号を前記機器に伝送する受信側伝送路に、前記差動信号伝送用ケーブルから入力された電気信号を、前記差動信号伝送用ケーブルの損失特性に応じて補償して出力する補償回路を備えた
請求項１〜３いずれかに記載のコネクタ付きケーブル。
【請求項５】
前記コモンモード反射用伝送路は、少なくともその一部が前記補償回路より前記機器側の前記送信側伝送路に形成されている
請求項４記載のコネクタ付きケーブル。
【請求項６】
前記送信側伝送路全体を前記コモンモード反射用伝送路とした
請求項１〜５いずれかに記載のコネクタ付きケーブル。
【請求項７】
前記差動信号伝送用ケーブルとして、前記機器側の伝送路よりもコモンモードインピーダンスが高いものを用い、
前記コモンモード反射用伝送路のコモンモードインピーダンスを、前記差動信号伝送用ケーブルのコモンモードインピーダンスと等しくした
請求項６記載のコネクタ付きケーブル。
【請求項８】
前記差動信号伝送用ケーブルとして、平行配置された２本の内部導体と、該内部導体の周囲を一括して覆う絶縁体と、該絶縁体の周囲に形成された外部導体と、を備えたものを用いた
請求項７記載のコネクタ付きケーブル。
【発明の詳細な説明】
【技術分野】
【０００１】
本発明は、コネクタ付きケーブルに関するものである。
【背景技術】
【０００２】
差動信号の送受信用の差動信号伝送用ケーブルを内蔵したケーブルと、ケーブルの両端に設けられたコネクタと、を備えたコネクタ付きケーブルが用いられている。
【０００３】
コネクタには、接続対象の機器と差動信号伝送用ケーブルとを電気的に接続するパドルカード基板が内蔵されている。このパドルカード基板における受信側伝送路、すなわち、差動信号伝送用ケーブルから入力された電気信号を機器に伝送する伝送路に、差動信号伝送用ケーブルの損失特性に応じて電気信号をアクティブに補償して出力する補償回路を備えたものが、アクティブケーブルモジュール（アクティブダイレクトアタッチケーブル、アクティブＤＡＣ、アクティブカッパーケーブル（ＡＣＣ：Active Copper Cable）とも呼称される）である。
【０００４】
なお、この出願の発明に関連する先行技術文献情報としては、特許文献１，２がある。
【先行技術文献】
【特許文献】
【０００５】
【特許文献１】特開２０１１−９０９５９号公報
【特許文献２】特開２０１３−１２２８２５号公報
【発明の概要】
【発明が解決しようとする課題】
【０００６】
ところで、アクティブケーブルモジュールなどのコネクタ付きケーブルでは、特に長尺のケーブルを用いて長距離伝送を行う場合に、送信側と受信側の信号レベルの差が大きくなり、コモンモードに起因した近端クロストークの影響を受け易くなる。
【０００７】
従来のコネクタ付きケーブルでは、接続対象の機器からコモンモードの電気信号が入力された際に、そのコモンモードの電気信号もケーブル側に伝送されてしまうため、コモンモードに起因した近端クロストークが大きくなってしまう、という問題があった。
【０００８】
そこで、本発明の目的は、上記課題を解決し、コモンモードに起因した近端クロストークを低減可能なコネクタ付きケーブルを提供することにある。
【課題を解決するための手段】
【０００９】
本発明は上記目的を達成するために創案されたものであり、差動信号の送受信用に少なくとも２本以上の差動信号伝送用ケーブルを備えたケーブルと、該ケーブルの両端に設けられ、接続対象の機器と前記差動信号伝送用ケーブルとを電気的に接続するパドルカード基板が内蔵されたコネクタと、を備え、前記パドルカード基板に形成され前記機器から入力された電気信号を前記差動信号伝送用ケーブルに伝送する送信側伝送路に、前記機器側の伝送路に対してコモンモードインピーダンスが不整合となり、前記機器側の伝送路から入力されたコモンモードの電気信号を反射するコモンモード反射用伝送路を備えたコネクタ付きケーブルである。
【００１０】
前記コモンモード反射用伝送路は、前記機器側の伝送路に対してコモンモードインピーダンスが不整合となり、かつ、差動モードインピーダンスが整合するように構成されてもよい。
【００１１】
前記コモンモード反射用伝送路は、前記送信側伝送路を構成する配線パターンの一部の間隔を変更することで形成されていてもよい。
【００１２】
前記パドルカード基板に形成され前記差動信号伝送用ケーブルから入力された電気信号を前記機器に伝送する受信側伝送路に、前記差動信号伝送用ケーブルから入力された電気信号を、前記差動信号伝送用ケーブルの損失特性に応じて補償して出力する補償回路を備えてもよい。
【００１３】
前記コモンモード反射用伝送路は、少なくともその一部が前記補償回路より前記機器側の前記送信側伝送路に形成されていてもよい。
【００１４】
前記送信側伝送路全体を前記コモンモード反射用伝送路としてもよい。
【００１５】
前記差動信号伝送用ケーブルとして、前記機器側の伝送路よりもコモンモードインピーダンスが高いものを用い、前記コモンモード反射用伝送路のコモンモードインピーダンスを、前記差動信号伝送用ケーブルのコモンモードインピーダンスと等しくしてもよい。
【００１６】
前記差動信号伝送用ケーブルとして、平行配置された２本の内部導体と、該内部導体の周囲を一括して覆う絶縁体と、該絶縁体の周囲に形成された外部導体と、を備えたものを用いてもよい。
【発明の効果】
【００１７】
本発明によれば、コモンモードに起因した近端クロストークを低減可能なコネクタ付きケーブルを提供できる。
【図面の簡単な説明】
【００１８】
【図１】（ａ）は、本発明の一実施形態に係るコネクタ付きケーブルの概略構成図であり、（ｂ）はそのコネクタ付きケーブルで用いるケーブルの横断面図である。
【図２】本発明の他の実施形態に係るコネクタ付きケーブルの概略構成図である。
【図３】（ａ）は、本発明の他の実施形態に係るコネクタ付きケーブルの概略構成図であり、（ｂ）はそのコネクタ付きケーブルで用いるケーブルの横断面図である。
【発明を実施するための形態】
【００１９】
以下、本発明の実施形態を添付図面にしたがって説明する。
【００２０】
図１（ａ）は、本実施形態に係るコネクタ付きケーブルの概略構成図であり、図１（ｂ）はケーブルの横断面図である。
【００２１】
図１（ａ），（ｂ）に示すように、コネクタ付きケーブル１は、差動信号の送受信用に少なくとも２本以上の差動信号伝送用ケーブル３を備えたケーブル２と、ケーブル２の両端に設けられたコネクタ４と、を備えている。
【００２２】
本実施形態では、ケーブル２として、２本の差動信号伝送用ケーブル３を備えたものを用い、１チャンネルの送受信を可能に構成した場合を説明する。ケーブル２は、２本の差動信号伝送用ケーブル３を束ね、その周囲に押さえ巻きテープ１４とジャケット１５を順次設けて形成されている。
【００２３】
差動信号伝送用ケーブル３としては、平行配置された２本の内部導体１１と、内部導体１１の周囲を個別に覆う絶縁体１２と、絶縁体１２の周囲に形成された外部導体１３と、を備えた所謂ツイナックスケーブルを用いている。差動信号伝送用ケーブル３では、外部導体１３と絶縁体１２との間には、外部導体１３の接地用のドレイン線１６が設けられている。以下、２本の差動信号伝送用ケーブル３をそれぞれ第１差動信号伝送用ケーブル３ａ、第２差動信号伝送用ケーブル３ｂと呼称する。
【００２４】
ケーブル２の一端（図１（ａ）の上側）には第１コネクタ４ａが設けられ、他端（図１（ａ）の下側）には第２コネクタ４ｂが設けられている。コネクタ４ａ，４ｂには、接続対象の機器（図示せず）と差動信号伝送用ケーブル３とを電気的に接続するパドルカード基板５がそれぞれ内蔵されている。以下、第１コネクタ４ａに内蔵されるパドルカード基板５を第１パドルカード基板５ａ、第２コネクタ４ｂに内蔵されるパドルカード基板５を第２パドルカード基板５ｂと呼称する。
【００２５】
パドルカード基板５ａ，５ｂの一端部（ケーブル２の接続側と反対側の端部）には、機器に接続される複数の送信側電極６と複数の受信側電極７とが形成されている。
【００２６】
また、パドルカード基板５ａ，５ｂの他端部には、ケーブル２の差動信号伝送用ケーブル３の内部導体１１が接続されるケーブル接続用送信側電極８とケーブル接続用受信側電極９が形成されている。
【００２７】
第１差動信号伝送用ケーブル３ａの内部導体１１は、その一端が第１パドルカード基板５ａのケーブル接続用送信側電極８に接続され、その他端が第２パドルカード基板５ｂのケーブル接続用受信側電極９に接続される。第２差動信号伝送用ケーブル３ｂの内部導体１１は、その一端が第１パドルカード基板５ａのケーブル接続用受信側電極９に接続され、その他端が第２パドルカード基板５ｂのケーブル接続用送信側電極８に接続される。
【００２８】
送信側電極６とケーブル接続用送信側電極８とは、パドルカード基板５ａ，５ｂに形成された配線パターンからなる送信側伝送路２０を介して、電気的に接続されている。送信側伝送路２０は、機器から送信側電極６を介して入力された電気信号をケーブル接続用送信側電極８に伝送し、差動信号伝送用ケーブル３ａ，３ｂに伝送するものである。
【００２９】
受信側電極７とケーブル接続用受信側電極９とは、パドルカード基板５ａ，５ｂに形成された配線パターンからなる受信側伝送路２１を介して、電気的に接続されている。受信側伝送路２１は、差動信号伝送用ケーブル３ａ，３ｂからケーブル接続用受信側電極９を介して入力された電気信号を受信側電極７に伝送し、機器に伝送するものである。
【００３０】
受信側伝送路２１には、差動信号伝送用ケーブル３ａ，３ｂからケーブル接続用受信側電極９を介して入力された電気信号を、差動信号伝送用ケーブル３ａ，３ｂの損失特性に応じてアクティブに補償して出力する補償回路１０が設けられている。つまり、コネクタ付きケーブル１は、コネクタ４に補償回路１０を備えたアクティブケーブルモジュールである。
【００３１】
また、図示省略しているが、差動信号伝送用ケーブル３ａ，３ｂのドレイン線１６は、パドルカード基板５ａ，５ｂのグランドパターンに接続されている。
【００３２】
機器から第１コネクタ４ａに入力された電気信号は、送信側電極６、送信側伝送路２０、ケーブル接続用送信側電極８、差動信号伝送用ケーブル３ａの内部導体１１を介して第２コネクタ４ｂに入力され、ケーブル接続用受信側電極９、受信側伝送路２１および補償回路１０、受信側電極７を介して、第２コネクタ４ｂが接続された機器に出力される。第２コネクタ４ｂ側から第１コネクタ４ａ側へも同様である。
【００３３】
さて、本実施形態に係るコネクタ付きケーブル１では、パドルカード基板５ａ，５ｂの送信側伝送路２０に、機器側の伝送路に対してコモンモードインピーダンスが不整合となり、機器側の伝送路から入力されたコモンモードの電気信号を反射するコモンモード反射用伝送路２２を備えている。
【００３４】
コモンモード反射用伝送路２２は、機器から入力される電気信号である差動モードの電気信号は反射しないように、機器側の伝送路に対して差動モードインピーダンスが整合するように構成されている。つまり、コモンモード反射用伝送路２２は、機器側の伝送路に対してコモンモードインピーダンスが不整合となり、かつ、差動モードインピーダンスが整合するように構成されている。
【００３５】
本実施形態では、コモンモード反射用伝送路２２は、送信側伝送路２０を構成する配線パターンの一部の間隔を変更し結合率を変化させることで形成されている。ここでは、送信側伝送路２０を構成する配線パターンの一部の間隔を狭め結合率を高めることで、コモンモード反射用伝送路２２のコモンモードインピーダンスを高めるように構成している。
【００３６】
より具体的には、機器側の伝送路のコモンモードインピーダンスは一般的には２５Ω程度であるが、この場合、コモンモード反射用伝送路２２のコモンモードインピーダンスは、２５Ω以上とすればよい。例えば、コモンモードインピーダンスが３７．５Ωの差動信号伝送用ケーブル３を用いる場合には、コモンモード反射用伝送路２２のコモンモードインピーダンスを３７．５Ω前後とすることが望ましい。
【００３７】
コネクタ付きケーブル１では、コモンモード反射用伝送路２２以外の送信側伝送路２０、および受信側伝送路２１は、差動モード、コモンモード共に機器側の伝送路と整合するように形成されている。
【００３８】
コモンモード反射用伝送路２２は、コネクタ付きケーブル１に導入されるコモンモードの電気信号をなるべく少なくするために、機器側の伝送路が接続される送信側電極６の近傍に形成されることが望ましく、少なくともその一部が補償回路１０より機器側（送信側電極６側、ケーブル２と反対側）の送信側伝送路２０に形成されていることが望ましい。
【００３９】
長距離伝送では補償回路１０よりケーブル２側の受信側伝送路２１では信号レベルが低下しているため、その近傍の送信側伝送路２０、すなわち、補償回路１０よりもケーブル２側の送信側伝送路２０に信号レベルの大きいコモンモードの電気信号が流れると、コモンモードに起因した近端クロストークが大きくなるおそれがあるためである。コネクタ付きケーブル１では、補償回路１０で増幅が行われ信号レベルが大きくなるため、補償回路１０よりも機器側（受信側電極７側、ケーブル２と反対側）の受信側伝送路２１では、近端クロストークへの影響は比較的小さい。
【００４０】
以上説明したように、本実施形態に係るコネクタ付きケーブル１では、送信側伝送路２０に、機器側の伝送路に対してコモンモードインピーダンスが不整合となり、機器側の伝送路から入力されたコモンモードの電気信号を反射するコモンモード反射用伝送路２２を備えている。
【００４１】
コモンモード反射用伝送路２２を備えることで、機器側から入力されたコモンモードの電気信号をパドルカード基板５上で反射することが可能になる。その結果、長尺のケーブル２を用いて長距離伝送を行う場合など送信側と受信側の信号レベルの差が大きくなる場合であっても、コモンモードに起因した近端クロストークを低減することが可能になる。
【００４２】
また、本実施形態では、コモンモード反射用伝送路２２を、機器側の伝送路に対してコモンモードインピーダンスが不整合となり、かつ、差動モードインピーダンスが整合するように構成しているため、差動モードの電気信号に影響を与えることなく、コモンモードの電気信号のみを反射することが可能である。
【００４３】
本発明の他の実施形態を説明する。
【００４４】
図２に示すコネクタ付きケーブル２５は、図１のコネクタ付きケーブル１において、ケーブル２として差動信号伝送用ケーブル３ａ，３ｂを２本ずつ備えたものを用いると共に、各差動信号伝送用ケーブル３ａ，３ｂに対応するように、送信側電極６、受信側電極７、ケーブル接続用送信側電極８、ケーブル接続用受信側電極９、送信側伝送路２０、および受信側伝送路２１を２セットパドルカード基板５ａ，５ｂに形成したものである。ここでは、補償回路１０として２チャンネル用のものを用いているが、１チャンネル用のものを２つ用いても構わない。
【００４５】
コネクタ付きケーブル２５では、２つの送信側伝送路２０を備えるため、この２つの送信側伝送路２０にそれぞれコモンモード反射用伝送路２２を形成することで、図１のコネクタ付きケーブル１と同様の作用効果を得ることが可能になる。
【００４６】
なお、図１のコネクタ付きケーブル１では１チャンネルの送受信を可能に構成した場合、図２のコネクタ付きケーブル２５では２チャンネルの送受信を可能に構成した場合を説明したが、これに限らず、３チャンネル以上の送受信を可能に構成することも当然に可能である。
【００４７】
図３（ａ）に示すコネクタ付きケーブル３１は、図１のコネクタ付きケーブル１において、送信側伝送路２０全体をコモンモード反射用伝送路２２としたものである。
【００４８】
コモンモード反射用伝送路２２は、その長さが長いほど低い周波数のコモンモードまで反射することが可能になる。そのため、送信側伝送路２０全体をコモンモード反射用伝送路２２とすることで、コモンモードに起因した近端クロストークをより低減することが可能になる。
【００４９】
さらに、コネクタ付きケーブル３１では、ケーブル接続用受信側電極９から補償回路１０に至る受信側伝送路２１もコモンモード反射用伝送路２２とし、コモンモード反射用伝送路２２のコモンモードインピーダンスを、差動信号伝送用ケーブル３のコモンモードインピーダンスと等しくしている。
【００５０】
これにより、送信側電極６から差動信号伝送用ケーブル３を経て補償回路１０に至る全ての伝送路のコモンモードインピーダンスが整合するので、コモンモードの電気信号を反射する反射点を１箇所にすることが可能になる。反射点が複数存在する場合、コモンモードが多重反射することにより大きな放射が発生してしまう場合も考えられるが、反射点を１箇所とすることで、コモンモードの多重反射による放射を抑制可能になる。
【００５１】
なお、コネクタ付きケーブル３１では、差動信号伝送用ケーブル３として、機器側の伝送路よりもコモンモードインピーダンスが高いもの（つまり、機器側の伝送路に対してコモンモードインピーダンスが不整合となるもの）を用いる必要がある。
【００５２】
このような差動信号伝送用ケーブル３としては、図３（ｂ）に示すように、平行配置された２本の内部導体１１の周囲を一括して絶縁体３２で覆い、その周囲に外部導体１３を設けた差動信号伝送用ケーブル３３（３３ａ，３３ｂ）を用いるとよい。差動信号伝送用ケーブル３３は、コモンモードインピーダンスが例えば３７．５Ωと比較的高く、コネクタ付きケーブル３１に用いる差動信号伝送用ケーブル３として好適である。
【００５３】
なお、コネクタ付きケーブルにおいて、受信側におけるコモンモードのリターンロスを規定した規格があるが、本発明のコネクタ付きケーブル１，２５，３１では、受信側伝送路２１にＩＣを用いた補償回路１０が搭載されているため、このような規格にも準拠可能である。すなわち、コネクタ付きケーブル１，２５，３１では、受信側電極７から延びる受信側伝送路２１の補償回路１０への接続部を開放端とみなすことができるため、受信側電極７から入力されたコモンモードの電気信号がコモンモード反射用伝送路２２で反射されることはなく、受信側におけるコモンモードのリターンロスを抑制することが可能である。
【００５４】
本発明は上記実施形態に限定されるものではなく、本発明の趣旨を逸脱しない範囲で種々の変更を加え得ることは勿論である。
【符号の説明】
【００５５】
１  コネクタ付きケーブル
２  ケーブル
３  差動信号伝送用ケーブル
４  コネクタ
５  パドルカード基板
２０  送信側伝送路
２２  コモンモード反射用伝送路
【図１】
2015130247.tif 000003
【図２】
2015130247.tif 000004
【図３】
2015130247.tif 000005